(57)【要約】      （修正有）【課題】取り扱いが容易で、豪華さや威厳を持たせた霊標を提供する。【解決手段】基台石の左右に一対の支柱を立設し、両支柱には相対する面に縦方向の溝を設け、当該溝に飾り板の両側を嵌合し、更に飾り板の表裏側に、クリスタルガラス又は強化ガラスからなる縦方向に長い短冊形の複数枚の霊標素地板を着脱自在に配設し、当該霊標素地板と飾り板及び一対の支柱上部に笠石を嵌合してなる霊標であるから、霊標素地板に戒名等を記す際にも笠石のみを外せば素地板は容易に取外すことができ、しかも軽量であるため持ち運びも容易もある。また霊標素地板の表面に仏画等を表現し、その上にクリスタルガラス又は強化ガラスの霊標素地板があるので飾り板の仏画は鮮明に現れる。【選択図】図１
0003143383.tif 000002
【実用新案登録請求の範囲】
【請求項１】
基台石の左右に一対の支柱を立設し、両支柱には相対する面に縦方向の溝を設け、当該溝に飾り板の両側を嵌合し、更に飾り板の表裏側には、クリスタルガラス又は強化ガラスからなる縦方向に長い短冊形の複数枚の霊標素地板を着脱自在に配設し、当該霊標素地板と飾り板及び一対の支柱上部に笠石を嵌合してなる霊標。
【請求項２】
前記飾り板が一枚の石板であり、当該石板の表面と裏面には仏を敬い、且つ慈しみ得る仏画或いは絵画を刻設してなる請求項１の霊標。
【請求項３】
前記飾り板が二枚の石板であり、当該二枚の石板の夫々の表面に、仏を敬い、且つ慈しみ得る仏画或いは絵画を刻設し、裏面同士を合わせて支柱間に嵌合してなる請求項１の霊標。
【請求項４】
前記飾り板が一枚の陶磁器板であり、当該陶磁器板の表面と裏面には、仏を敬い、且つ慈しみ得る仏画或いは絵画を表現してなる請求項１の霊標。
【請求項５】
前記飾り板が二枚の陶磁器板であり、当該二枚の陶磁器板の夫々の表面に、仏を敬い、且つ慈しみ得る仏画或いは絵画を表現し、裏面同士を合わせて支柱間に嵌合してなる請求項１の霊標。
【考案の詳細な説明】
【技術分野】
【０００１】  本考案は、墓石の横等に立設する霊標の改良に関するものである。
【背景技術】
【０００２】  霊標はもともと墓石の後面に戒名等を記していたものが、追加の戒名が書ききれなくなったときに、別の板に戒名を書いたのが始まりといわれており、それが現在の基台石の上に一枚の平板からなる霊標を立設する形式になったのである。【０００３】  一枚板からなる霊標は、戒名等を新しく加える際には、当該一枚板の霊標に戒名等の文字を彫って加える必要があったが、文字を刻設するには重い一枚板の霊標を持ち運ぶ必用があり、他の墓石が立ち並ぶ墓地で重量物の霊標の持ち運びには危険性も伴っていた。また重量物を取外し持ち運ぶということは文字刻設単価にも影響を及ぼし刻設価格が高くなっていたのである。現在では持ち運び容易な文字刻設装置が市販されており、現地で刻設することもできるが、当該刻設装置では彫った文字が小さく深さも浅いという問題もあった。しかも、単なる一枚板と言うことで霊標としての豪華さや威厳等に物足りないという問題もあった。【０００４】  そのような問題に考慮して、基台石の左右に立設する一対の支柱と、支柱間に着脱自在に立設される縦方向に長い短冊形の複数枚の霊標素地板と、当該霊標素地板及び一対の支柱上部に嵌合する笠石とからなる霊標が開発され、霊標に新たに戒名等を加える際には、笠石のみを取り外して、一枚の短冊形の霊標素地だけを抜き取って当該霊標素地板に戒名等を刻設すればよく取り扱いの容易さは格段に進歩したが、霊標素地板は表面を単に磨いてあるだけの板体であり、豪華さや威厳を追求するにはまだまだ問題が残されていたのである。
【考案の開示】
【考案が解決しようとする課題】
【０００５】  解決しようとする問題点は、霊標が豪華さや威厳に乏しいこと、それが考案が解決しようとする課題である。
【課題を解決するための手段】
【０００６】  課題を解決するための手段としては、霊標は取り扱いの容易なものとし、更に豪華さや威厳を持たせたものにすることである。
【考案の効果】
【０００７】  本考案は、基台石の左右に一対の支柱を立設し、両支柱には相対する面に縦方向の溝を設け、当該溝に飾り板の両側を嵌合し、更に飾り板の表裏側に、はクリスタルガラス又は強化ガラスからなる縦方向に長い短冊形の複数枚の霊標素地板を着脱自在に配設し、当該霊標素地板と飾り板及び一対の支柱上部に笠石を嵌合してなる霊標であるから、霊標素地板に戒名等を記す際にも笠石のみを外せば素地板は容易に取外すことができ、しかも軽量であるため持ち運びも容易もある。また霊標素地板の表面に仏画等を表現し、その上にクリスタルガラス又は強化ガラスの霊標素地板があるので飾り板の仏画は鮮明に現れる。また飾り板４を陶磁器製とした場合は、その表面に表現する仏画１５等も極彩色とすることができることから、霊標そのものが豪華であり且つ優美で威厳を持った霊標とすることができる等、極めて顕著なる効果を有するものである。
【考案を実施するための最良の形態】
【０００８】  本考案は、基台石の左右に一対の支柱を立設し、両支柱には相対する面に縦方向の溝を設け、当該溝に飾り板の両側を嵌合し、更に飾り板の表裏側に、はクリスタルガラス又は強化ガラスからなる縦方向に長い短冊形の複数枚の霊標素地板を着脱自在に配設し、当該霊標素地板と飾り板及び一対の支柱上部に笠石を嵌合してなる霊標であり、更には、前記飾り板が一枚の石板であり、当該石板の表面と裏面には仏を敬い、且つ慈しみ得る仏画或いは絵画を刻設してなる請求項１の霊標であり、更には、前記飾り板が二枚の石板であり、当該二枚の石板の夫々の表面には仏を敬い、且つ慈しみ得る仏画或いは絵画を刻設し、裏面同士を合わせて支柱間に嵌合してなる請求項１の霊標であり、更には、前記飾り板が一枚の陶磁器板であり、当該陶磁器板の表面と裏面には仏を敬い、且つ慈しみ得る仏画或いは絵画を表現してなる請求項１の霊標であり、更には、前記飾り板が二枚の陶磁器板であり、当該二枚の陶磁器板の夫々の表面に、仏を敬い、且つ慈しみ得る仏画或いは絵画を表現し、裏面同士を合わせて支柱間に嵌合してなる請求項１の霊標を呈せんとするものである。
【実施例１】
【０００９】  霊標１は、主として基台石２、一対の支柱３、飾り板４、複数枚の霊標素地板５、笠石６により構成される。【００１０】  基台石１は平たい長尺の直方体形状であり、その上面の両端部内方にはそれぞれ穴７を穿っている。当該穴７に支柱３の下面に設けた凸部８を嵌合すべく構成している。更に、穴７と相対する穴７の間には飾り板４及び霊標素地板５の下端部を挿入する溝９を形成している。【００１１】  笠石６の下面両端内方には、支柱３の上面に設けた凸部８を嵌合する穴１０を穿っており、更に穴１０と相対する穴１０間には飾り板４及び霊標素地板５の上端部を挿入する溝１１を形成している。笠板６の形状は本実施例においては屋根型としているが、当該形状に限定を受けるものではない。【００１２】  前記実施例においては、支柱３の上下面に凸部８を設けているが、図４に示すように、支柱３の上下面にそれぞれ穴１２を穿ち、当該穴１２にピン１３を用いて支柱３と基台石２、支柱３と笠板６を固定することもできる。【００１３】  支柱３の内側の面に縦方向の溝１４を形成し、飾り板４の横方向両端及び両端部に位置する霊標素地板５の側面を当該溝１４に嵌合する。この場合、両端部の霊標素地板５は溝１４の深さだけ幅広くしておくことが必用である。【００１４】  飾り板４はその表面に、仏を敬い、且つ慈しみ得る仏画或いは絵画１５を刻設している。本考案実施例においては、二枚の石板とし、当該二枚の石板の夫々の表面に仏画等を刻設し、当該二枚の石板の両裏面を合わせて両支柱３間に嵌合している。しかし、これは二枚の石板に限定されるものではなく、一枚の石板の表裏に仏画等を刻設してもよい。【００１５】  更に飾り板４のその他の実施例として、当該飾り板４を二枚の陶磁器板とし当該二枚の陶磁器板の夫々の表面に仏画等を表現し、当該二枚の陶磁器板の両裏面を合わせて両支柱３間に嵌合している。これは二枚の陶磁器板に限定されるものではなく、一枚の陶磁器板の表裏に仏画等を表現してもよい。陶磁器製の場合、その表面に表現する仏画１５等を極彩色とすることができる。【００１６】  霊標素地板５は、クリスタルガラス又は強化ガラスからなり、飾り板４を介して表裏に横に並べて立設している。【００１７】  霊標素地板５には、戒名、俗名、没年月日、経歴１６等を記している。記す方法としては、サンドブラスト工法があげられる。この際、文字の刻設は、表面に正規に刻設するものであるが、裏面より鏡文字で刻設してもよい。【００１８】  全体の構成としては、基台石２に一対の支柱３、３を凸部８或いはピ１３を介して立設し、当該支柱３、３間に飾り板４及び霊標素地板５、５・・・を基台石２に設けた溝９に下端部を挿入して並列に立設する。次いで、笠板６の下面に設けた溝１１に飾り板４及び霊標素地板５、５・・・の上端を挿入し、更に支柱３、３の上面の凸部８或いはピン１３を介して笠石６を固定して霊標１とするものである。尚、本実施例の図面において正面図と背面図にそれぞれ仏画を描いているが、当該仏画に限定を受けるものではない。
【産業上の利用可能性】
【００１９】  基台石２の左右に一対の支柱３、３を立設し、両支柱３、３には相対する面に縦方向の溝１４を設け、当該溝１４に飾り板４の両側を嵌合し、更に飾り板４の表裏側には、クリスタルガラス又は強化ガラスからなる縦方向に長い短冊形の複数枚の霊標素地板５、５・・・を着脱自在に配設し、当該霊標素地板５、５・・・と飾り板４及び一対の支柱３、３上部に笠石６を嵌合してなる霊標１であり、更には、前記飾り板４が一枚の石板であり、当該石板の表面と裏面には仏を敬い、且つ慈しみ得る仏画或いは絵画１５を刻設してなる請求項１の霊標であり、更には、前記飾り板４が二枚の石板であり、当該二枚の石板の夫々の表面には仏を敬い、且つ慈しみ得る仏画或いは絵画１５を刻設し、裏面同士を合わせて支柱３、３間に嵌合してなる請求項１の霊標であり、更には、前記飾り板４が一枚の陶磁器板であり、当該陶磁器板の表面と裏面には仏を敬い、且つ慈しみ得る仏画或いは絵画１５を表現してなる請求項１の霊標であり、更には、前記飾り板４が二枚の陶磁器板であり、当該二枚の陶磁器板の夫々の表面に、仏を敬い、且つ慈しみ得る仏画或いは絵画１５を表現し、裏面同士を合わせて支柱３、３間に嵌合してなる請求項１の霊標であるから、霊標素地板５に戒名１６等を記す際にも笠石６のみを外せば素地板５は容易に取外すことができ、しかも軽量であるため持ち運びも容易である。また飾り板４の表面に仏画１５等を表現し、その上にクリスタルガラス又は強化ガラスの霊標素地板５があるので、飾り板４の仏画１５は鮮明に現れることから、霊標１そのものが豪華であり且つ優美で威厳を持った霊標１とすることができる。更に、霊標素地板５に戒名１６等をサンドブラスト工法により刻設するのも、素地板５の裏面より鏡文字で刻設すれば、刻設された文字が風雨にさらされてほこりが溜まって汚れるなどの憂いもなく、飾り板４の仏画１５が汚されることもなく、しかも戒名１６等も鮮明に読み取ることができる。また飾り板４を陶磁器製とする場合も、近年開発された強化磁器、αアルミナ粒子を加えて強度を大にしたものであるが、通常の磁器に比して強度は２〜３倍となり、しかも傷もつき難く、霊標１の中心基盤となる飾り板４としても充分に耐えられるものである等、産業上での利用可能性は極めて大きいものがある。
【図面の簡単な説明】
【００２０】
【図１】  霊標の正面図
【図２】  霊標の背面図
【図３】  一部断面した霊標の側面図
【図４】  一部断面した霊標の側面図
【図５】  一部断面した霊標の側面図
【図６】  支柱の斜視図
【符号の説明】
【００２１】１    霊標
２    基台石
３    支柱
４    飾り板
５    霊標素地板
６    笠石
７    基台石の穴
８    支柱の凸部
９    基台石の溝
１０  笠石下面の穴
１１  笠石下面の溝
１２  支柱の穴
１３  ピン
１４  支柱内側の溝
１５  仏画等
１６  戒名等
【図１】
0003143383.tif 000003
【図２】
0003143383.tif 000004
【図３】
0003143383.tif 000005
【図４】
0003143383.tif 000006
【図５】
0003143383.tif 000007
【図６】
0003143383.tif 000008